(57)【要約】【課題】外壁パネル間の目地を簡素な構造でしっかりと止水することができ、しかも、止水材の経年劣化を抑えて保守の必要性を低くすることができる外壁パネル間の目地構造を提供する。【解決手段】止水材３が、隣り合う外壁パネル１，１間の目地を挟む両外壁面材４，４の背面側に押し付けられて該目地を止水しており、かつ、該外壁面材４，４間の目地空間部７が屋外に対してオープンにされている。止水材３は、背後の建物構造部である例えば柱２を反力部として外壁面材４，４の背面側に押し付けられている。止水材３は、ネジ９の締付けなどによる押圧力で、外壁面材４，４の背面側に押し付けられている。【選択図】      図１
2004300854.tif 000002
【特許請求の範囲】
【請求項１】
止水材が、隣り合う外壁パネル間の目地を挟む両外壁面材の背面側に押し付けられて該目地を止水しており、かつ、該外壁面材間の目地空間部が屋外に対してオープンであることを特徴とする外壁パネル間の目地構造。
【請求項２】
前記止水材が、背後の建物構造部を反力部として外壁面材の背面側に押し付けられている請求項１に記載の外壁パネル間の目地構造。
【請求項３】
前記止水材が、ネジの締付けによる押圧力で、外壁面材の背面側に押し付けられている請求項２に記載の外壁パネル間の目地構造。
【請求項４】
前記止水材とは別に弾性体が備えられ、止水材が、該弾性体の復元力で外壁面材の背面側に押し付けられている請求項２に記載の外壁パネル間の目地構造。
【請求項５】
弾性体がバネ材からなる請求項４に記載の外壁パネル間の目地構造。
【請求項６】
隣り合う外壁パネルの各外壁面材の背面側に備えられている下地材がそれぞれ外壁面材の縁から突出し、止水材が該下地材の突出部の屋外側の面部に押し付けられて外壁パネル間の目地を止水しており、かつ、該止水材の屋外側には仕上げ部が備えられ、止水材を含む仕上げ部と外壁面材との間の目地空間部が屋外に対してオープンであることを特徴とする外壁パネル間の目地構造。
【発明の詳細な説明】
【０００１】
【発明の属する技術分野】
本発明は、外壁パネル間の目地構造に関する。
【０００２】
【従来の技術】
建物における外壁パネル間の目地の構造として、外壁パネルの外壁面材間の目地空間部内に湿式でシーリング材が充填されたり、乾式ガスケットが嵌め込まれたりしているものは、従来より良く知られている。
【０００３】
【発明が解決しようとする課題】
しかしながら、外壁面材間に湿式シーリング材を充填したものでは、シーリング材の経年劣化により、定期的にシーリングのし直しをしなければならず、非常に厄介である。
【０００４】
また、ガスケットを外壁面材間に嵌め込んだものでは、同様に、屋外に曝されるため、経年劣化を起こし、湿式シーリング材の場合のような手間はかからないけれども、湿式シーリング材の場合と同様に定期的な交換を行っていかなければならない。
【０００５】
のみならず、ガスケットは、自らの弾性復元力によって目地を挟む外壁面材の対向面部に押し付けられることで目地を止水しようとするものであるため、外壁面材の対向面部への押付け力を大きくするのに限界があり、そのため、その更に奥方において二次的な止水を行わなければならないのが一般的である。
【０００６】
本発明は、上記のような従来の問題点に鑑み、外壁パネル間の目地を簡素な構造でしっかりと止水することができ、しかも、止水材の経年劣化を抑えて保守の必要性を低くすることができる外壁パネル間の目地構造を提供することを課題とする。
【０００７】
【課題を解決するための手段】
上記の課題は、止水材が、隣り合う外壁パネル間の目地を挟む両外壁面材の背面側に押し付けられて該目地を止水しており、かつ、該外壁面材間の目地空間部が屋外に対してオープンであることを特徴とする外壁パネル間の目地構造によって解決される。
【０００８】
この目地構造では、止水材が、隣り合う外壁パネル間の目地を挟む両外壁面材の背面側に押し付けられて該目地を止水するものとなされているので、止水材を両外壁面材の背面側にしっかりと押し付けることができ、それによって、外壁パネル間の目地をしっかりと止水することができる。
【０００９】
しかも、外壁パネルの外壁面材間の目地空間部は屋外に対してオープンとなされて、止水を外壁面材の背面側の止水材のみで行うようになされているから、外壁パネル間の目地を簡素な構造で止水することができる。
【００１０】
加えて、外壁パネルの外壁面材間の目地空間部は屋外に対してオープンであるが、止水材は外壁面材の背面側に備えられるので、止水材が、屋外に曝されて劣化するということもなくなり、あるいは、少なくなり、止水材の経年劣化を抑えて保守の必要性を低くすることができる。
【００１１】
前記止水材が、背後の建物構造部を反力部として外壁面材の背面側に押し付けられている場合は、止水材を強い力で外壁面材の背面側に押し付けることができ、しっかりとした止水状態を形成することができる。
【００１２】
例えば、止水材を、ネジの締付けによる押圧力で、外壁面材の背面側に押し付けることも可能であり、止水材とは別に用意した弾性体の復元力で止水材を外壁面材の背面側にしっかりと押し付けることも可能となり、外壁面材間の目地空間部がオープンであっても、しっかりとした止水状態を形成することができる。
【００１３】
とりわけ、ネジの締付けによる押付けでは、ネジの締付け具合で押付け力の大きさを広範囲に調節でき、止水に最適な押付け状態を実現することができる。また、止水材とは別に用意した弾性体による押付けでは、選択しうる弾性体の種類も広がり、押付け力の大きさを広範囲に調節できて、止水に最適な押付け状態を実現することができる。
【００１４】
また、上記の課題は、隣り合う外壁パネルの各外壁面材の背面側に備えられている下地材がそれぞれ外壁面材の縁から突出し、止水材が該下地材の突出部の屋外側の面部に押し付けられて外壁パネル間の目地を止水しており、かつ、該止水材の屋外側には仕上げ部が備えられ、止水材を含む仕上げ部と外壁面材との間の目地空間部が屋外に対してオープンであることを特徴とする外壁パネル間の目地構造によっても解決される。
【００１５】
この目地構造では、止水材が、外壁面材の縁から突出する下地材の屋外側の面部に押し付けられて外壁パネル間の目地を止水するものとなされているので、止水材を下地材の突出部の屋外側の面部にしっかりと押し付けることができ、それによって、外壁パネル間の目地をしっかりと止水することができる。
【００１６】
しかも、止水材の屋外側には仕上げ部が備えられ、止水材を含む仕上げ部と外壁面材との間の目地空間部が屋外に対してオープンであるので、外壁パネル間の目地を簡素な構造で止水することができ、しかも、止水材は屋外側の仕上げ部の背後に備えられているので、止水材が、屋外に曝されて劣化するということもなくなり、あるいは、少なくなり、止水材の経年劣化を抑えて保守の必要性を低くすることができる。
【００１７】
【発明の実施の形態】
次に、本発明の実施形態を図面に基づいて説明する。
【００１８】
図１に示す第１実施形態の目地構造において、１，１は外壁パネルであり、２は建物構造部としての柱、３は止水材である。
【００１９】
各外壁パネル１は、外壁面材４の背面側に下地材５を介してパネルフレーム６が備えられたものからなっていて、パネルフレーム６を柱２に取り付けることにより建物に組み付けられている。この組付け状態において、隣り合う外壁パネル１，１の外壁面材４，４間の目地空間部７の背後に柱２が位置している。
【００２０】
止水材３は、隣り合う外壁面材４，４の間隔寸法よりも広幅につくられて、基板８を一体的に備えている。この止水材３は、隣り合う外壁面材４，４間の目地空間部７の背後であって、柱２よりも屋外側の領域に、基板８を柱２の側に向けるようにして備えられている。そして、柱２には、屋内側からの回転操作が可能な、ネジとしてのボルト９が螺合され、このボルト９の先端を、屋内側からの操作で、止水材３の基板８の背面部に押し付けることにより、止水材３は、柱２を反力部として、隣り合う外壁面材４，４の両背面部に押し付けられ、外壁パネル１，１間の目地を止水している。
【００２１】
そして、外壁面材４，４間の目地空間部７は、ガスレットや湿式シーリング材など入れられることなく、屋外に対してオープンのままにされる。
【００２２】
本実施形態の目地構造では、このように、止水材３が、隣り合う外壁パネル１，１間の目地を挟む両外壁面材４，４の背面部に押し付けられて該目地を止水するようになされているので、止水材３を両外壁面材４，４の背面部にしっかりと押し付けることができて、外壁パネル１，１間の目地をしっかりと止水することができる。
【００２３】
特に、本実施形態では、止水材３が、建物構造部である柱２を反力部として外壁面材４，４の背面部に押し付けられており、しかも、その押付けがボルト９の締付けにより行われたものであるので、止水材３を強い力で外壁面材４，４の背面部に押し付けることができ、外壁パネル１，１間の目地をこの止水材３だけでしっかりと止水することができる。とりわけ、ボルト９の締付けによる押付けを採用していることで、止水に最適な押付け状態を容易に実現することができる。
【００２４】
しかも、外壁面材４，４間の目地空間部７は屋外に対してオープンであり、止水は外壁面材４，４の背面部の止水材３のみで行うようにしているので、外壁パネル１，１間の目地を簡素な構造で止水することができる。
【００２５】
加えて、外壁面材４，４間の目地空間部７は屋外に対してオープンであるが、止水材３は外壁面材４，４の背面側に備えられるので、止水材３が、屋外に曝されて劣化するということもなくなり、あるいは、少なくなり、止水材３の経年劣化を抑えて保守の必要性を低くすることができる。
【００２６】
図２（イ）に示す第２実施形態の目地構造では、ボルトに替え、弾性体、さらにその下位概念であるバネ材としてのコイルスプリング１０が止水材３とは別に備えられ、このコイルスプリング１０が止水材３の基板８と柱２との間に介設され、止水材３がコイルスプリング１０の伸長しようとするバネ弾性復元力で外壁面材４，４の背面部に押し付けられている。なお、止水材３の基板８には、屋内側からの操作が可能なロッド１１が連結されており、このロッド１１を屋内側から引いたり放したりすることで止水材３の押付け状態を調節することができるようになされている。また、このロッド１１は止水材３を押付け状態にする前段階においてコイルスプリング１０を支持する機能も併せもっている。
【００２７】
本実施形態の目地構造では、止水材３の押付けに用いる弾性体を止水材３とは別に備えさせる構造において、その弾性体としてコイルスプリング１０を採用したものであるから、コイルスプリング１０に強い弾性復元力を備えたものを用いることで、止水材３を強い押付け力で外壁面材４の背面部に押し付けることができ、この止水材３だけでしっかりとした止水状態を形成することができる。
【００２８】
図２（ロ）に示す第３実施形態の目地構造では、バネ材として、コイルスプリングに替え板バネ１２を用いた場合のものである。コイルスプリングの場合と同様に、止水材３を強い押付け力で外壁面材４の背面部に押し付けることができ、この止水材３だけでしっかりとした止水状態を形成することができる。
【００２９】
図２（ハ）に示す第３実施形態の目地構造では、弾性体として、コイルスプリングや板バネなどのバネ材に替えて、風船１３を用いた場合のもので、屋内側から風船１３を膨らませることにより、止水材３を風船１３の弾性復元力で外壁面材４，４の背面部に押し付けるようにしたものである。弾性体を止水材３とは別に備えさせることで、このような態様での押付けも可能となる。
【００３０】
図３に示す第４実施形態の目地構造は、止水材３それ自身が弾性体からなっている場合のもので、この止水材３は例えば膨潤パッキンなどからなって柱２を反力部として、圧縮状態となって、その弾性復元力で外壁面材４，４の背面部に押し付けられている。このように、止水材３を外壁面材４，４の背面部に押し付ける構造にすることで、押付け面積を広く確保することができ、止水材それ自体を弾性体とした場合であっても、しっかりとした止水状態を形成することができる。
【００３１】
図４に示す第５実施形態の目地構造では、隣り合う外壁パネル１，１の各外壁面材４，４の背面側に備えられている下地材５，５がそれぞれ外壁面材４，４の縁から突出している。止水材３は、仕上げ部としての化粧材１４の内面側に備えられて、下地材５，５の突出部５ａ，５ａの屋外側に配置されている。化粧材１４には雄ネジ体１５が連結され、この雄ネジ体１５は外壁パネル１，１間の目地を通じて柱２内に突出し、そこにネジとしてのナット１６が螺合され、このナット１６を屋内側から操作することで、止水材３は、屋内側に引き寄せられていき、下地材５，５の突出部５ａ，５ａの屋外側の面部に押し付けられ、外壁パネル１，１間の目地を止水している。そして、止水材３を含んで化粧材１４と外壁面材４，４との間の目地空間部７，７は屋外に対してオープンのままにされている。
【００３２】
本実施形態の目地構造では、止水材３が、外壁面材４，４の縁から突出する下地材５，５の屋外側の面部に押し付けられて外壁パネル１，１間の目地を止水するものとなされているので、止水材３を下地材５，５の突出部５ａ，５ａの屋外側の面部にしっかりと押し付けることができ、それによって、外壁パネル１，１間の目地をしっかりと止水することができる。
【００３３】
特に、本実施形態では、止水材３が、建物構造部である柱２を反力部として下地材５，５に押し付けられ、しかも、その押付けがネジであるナット１６の締付けにより行われたものであるので、止水材３を強い力で下地材５，５に押し付けることができ、外壁パネル１，１間の目地をこの止水材３だけでしっかりと止水することができる。とりわけ、ナット１６の締付けによる押付けを採用していることで、止水に最適な押付け状態を容易に実現することができる。
【００３４】
しかも、止水材３の屋外側には化粧材１４が備えられ、止水材を含んで化粧材１４と外壁面材４，４との間の目地空間部７，７は屋外に対してオープンにされているので、外壁パネル１，１間の目地を簡素な構造で止水することができ、しかも、オープンでありながら、止水材３は屋外側の化粧材１４の背後に備えられているので、止水材３が、屋外に曝されて劣化するということもなくなり、あるいは、少なくなり、止水材の経年劣化を抑えて保守の必要性を低くすることができる。
【００３５】
なお、第６実施形態のタイプにおいて、止水材３とは別に、コイルスプリングや板バルコニーなどのバネ材や、その他の弾性体を備えさせ、止水材３を、弾性体の復元力で下地材５，５の突出部５ａ，５ａの屋外側の面部に押し付けるようにしてもよい。
【００３６】
また、第６実施形態において、止水材３の屋外側の面部にベース材を備えさせ、その外側に仕上げ部としての化粧材を後付けで取り付けるようにしてもよい。
【００３７】
以上に、本発明の実施形態を示したが、本発明はこれに限られるものではなく、発明思想を逸脱しない範囲で各種の変更が可能である。例えば、上記の実施形態では、特定構造の外壁パネルを使用した場合の目地構造を示しているが、本発明は、各種構造の外壁パネルに広く用いることができるものである。また、上記の実施形態では、止水材３を外壁面材４の背面側に押し付ける場合の押付け対象が、外壁面材４の背面部である場合を示しているが、同じく外壁面材４の背面側である下地材の背面部であってもよい。
【００３８】
【発明の効果】
本発明は、以上のとおりのものであるから、外壁パネル間の目地を簡素な構造でしっかりと止水することができ、しかも、止水材の経年劣化を抑えて保守の必要性を低くすることができる。
【図面の簡単な説明】
【図１】第１実施形態の外壁パネル間目地構造を示すもので、図（イ）は断面平面図、図（ロ）は要部拡大断面平面図である。
【図２】図（イ）は第２実施形態の目地構造を示す要部拡大断面平面図、図（ロ）は第３実施形態の目地構造を示す要部拡大断面平面図、図（ハ）は第４実施形態の目地構造を示す要部拡大断面平面図である。
【図３】第５実施形態の目地構造を示すもので、図（イ）は断面平面図、図（ロ）は要部拡大断面平面図である。
【図４】第６実施形態の目地構造を示すもので、図（イ）は断面平面図、図（ロ）は要部拡大断面平面図である。
【符号の説明】
１…外壁パネル
２…柱（建物構造部）
３…止水材
４…外壁面材
５…下地材
５ａ…突出部
７…面材間目地空間部
９…ボルト（ネジ）
１０…コイルスプリング（バネ材、弾性体）
１２…板バネ（バネ材、弾性体）
１３…風船（弾性体）
１４…化粧材（仕上げ部）
１６…ナット（ネジ）
【図１】
2004300854.tif 000003
【図２】
2004300854.tif 000004
【図３】
2004300854.tif 000005
【図４】
2004300854.tif 000006